(57)【要約】      （修正有）【課題】椅子を床面に固定するボルトやナットを外部に露出させず、足元をすっきりさせて高級感を与えることができる椅子を提供する。【解決手段】互いに間隔を隔てて配置されるとともに各々上部に肘当て部２を有する一対の肘支柱１と、この肘支柱１の相互間に保持される背部３および座部４とを備える。肘支柱１は、その下端部に肘支柱１と同等幅でつながり、かつ肘支柱１の前面側および背面側の端部の直下でボルトを介して床面Ｍに固定保持されるベース５を備え、ベース５に、ボルトやナットを内側に収納する格納空間を形成するとともに肘支柱１の前面側および背面側でベース５の端部にそれぞれ着脱自在に係合する脚カバー６を設ける。脚カバー６は、肘支柱１の前面側または背面側の壁面１ｇに対しその延在方向に整列する壁面を形成する主壁部と、この主壁部の両側縁に壁面を形成する側壁部とを有する。【選択図】図１
0003193431.tif 000002
【実用新案登録請求の範囲】
【請求項１】
互いに間隔を隔てて配置されるとともに各々上部に肘当て部を有する一対の肘支柱と、この肘支柱の相互間に保持される背部および座部とを備える椅子において、
前記肘支柱は、その下端部に該肘支柱と同等幅でつながり、かつ該肘支柱の前面側および背面側の端部の直下でボルトを介して床面に固定保持されるベースを備え、
該ベースに、ボルトの頭部または、ボルトの軸部およびそれと螺合するナットを内側に収納する格納空間を形成するとともに、該肘支柱の前面側および背面側で該ベースの端部にそれぞれ着脱自在に係合する脚カバーを設け、
該脚カバーは、前記肘支柱の前面側または背面側の壁面に対しその延在方向に整列する壁面を形成する主壁部と、この主壁部の両側縁にそれぞれ一体連結するとともに前記肘支柱の側面側の壁面に対しその延在方向に整列する壁面を形成する側壁部とを有し、
該主壁部および側壁部は、前記肘支柱の下端面に密接する上端面と、前記床面に密接する下端面とを有することを特徴とする椅子。
【請求項２】
前記ベースは、前記肘支柱の下端面に当接可能な受け部を有し、その受け部において前記肘支柱と連結するベース本体と、前記ボルトを通す貫通孔を有し、前記肘支柱の前面側および背面側の端部の直下に位置するとともに前記ベース本体に一体連結するフランジ部とを備え、
前記肘支柱の下端部に、前記ベースのフランジ部へ向けて突出し、前記脚カバーの側壁部の内面に当接する側壁を有するブロックを設け、
前記脚カバーの側壁部の互いに対向する位置に、該ブロックの周壁および該フランジ部にそれぞれ係合して脚カバーを引き抜き不能に保持する一対の凸部を設けたことを特徴とする、請求項１記載の椅子。
【請求項３】
前記凸部は、前記ベースの端部の内側部に係合して前記脚カバーを前記ベースの端部に係止する係止爪を有することを特徴とする、請求項２記載の椅子。
【考案の詳細な説明】
【技術分野】
【０００１】
本考案は、上部に肘当て部を有する一対の肘支柱と、この肘支柱の相互間に保持される背部および座部とを備える椅子に関するものである。本考案の椅子は、それ自体単体で用いることができるだけでなく、３つ以上の肘支柱を横並びに配列し、肘支柱の相互間にそれぞれ背部、座部を配置して構成され、例えば劇場の観覧席等に用いられる連結椅子としても適用可能なものである。
【背景技術】
【０００２】
背部および座部を保持する肘支柱は、椅子の脚部としても機能するものであって、その下端を、ボルトを介して床面に固定しているのが通常であるが、肘支柱と床とをつなぐボルトの頭部や、ボルトの軸部およびそれと螺合するナットがむき出しのままでは見栄えがよいといえないばかりか、そのボルトの頭部や軸部およびナットの周辺部に埃等の塵も溜まりやすく、清掃にも手間がかかるという不都合があり、従来は、例えば特許文献１に見られるようなカバーが用いられていた。
【先行技術文献】
【特許文献】
【０００３】
【特許文献１】特開平１１―１９６９７４号公報
【考案の概要】
【考案が解決しようとする課題】
【０００４】
ところで、上記特許文献１のようなカバーは、互いに掛合する二分割構造とされ、肘支柱の下端部のベース板とともに、そこに設けたボルトの頭部やボルトの軸部およびナットを覆うように設置されるものであり、肘支柱との一体感が乏しく、見栄えの点で未だ改善の余地が残されていた。
【０００５】
本考案の目的は、肘支柱を床面に固定するボルトの頭部や、ボルトの軸部およびそれと螺合するナットを外表面に露出させず、肘支柱の下部をすっきりさせて高級感を与えることができる椅子を提案することにある。
【課題を解決するための手段】
【０００６】
本考案は、上述したような従来の課題を解決するためになされたものである。
すなわち、本考案の椅子は、互いに間隔を隔てて配置されるとともに各々上部に肘当て部を有する一対の肘支柱と、この肘支柱の相互間に保持される背部および座部とを備える椅子であって、前記肘支柱は、その下端部に該肘支柱と同等幅でつながり、かつ該肘支柱の前面側および背面側の端部の直下でボルトを介して床面に固定保持されるベースを備え、該ベースに、ボルトの頭部または、ボルトの軸部およびそれと螺合するナットを内側に収納する格納空間を形成するとともに、該肘支柱の前面側および背面側で該ベースの端部にそれぞれ着脱自在に係合する脚カバーを設け、該脚カバーは、前記肘支柱の前面側または背面側の壁面に対しその延在方向に整列する壁面を形成する主壁部と、この主壁部の両側縁にそれぞれ一体連結するとともに前記肘支柱の側面側の壁面に対しその延在方向に整列する壁面を形成する側壁部とを有し、該主壁部および側壁部は、前記肘支柱の下端面に密接する上端面と、前記床面に密接する下端面とを有することを特徴とするものである。
【０００７】
なお、本考案の椅子においては、前記ベースを、前記肘支柱の下端面に当接可能な受け部を有し、その受け部において前記肘支柱と連結するベース本体と、前記ボルトを通す貫通孔を有し、前記肘支柱の前面側および背面側の端部の直下に位置するとともに前記ベース本体に一体連結するフランジ部とを備えた構成とし、前記肘支柱の下端部に、前記ベースのフランジ部へ向けて突出し、前記脚カバーの側壁部の内面に当接する側壁を有するブロックを設け、前記脚カバーの側壁部の互いに対向する位置に、該ブロックの周壁および該フランジ部にそれぞれ係合して脚カバーを引き抜き不能に保持する一対の凸部を設けることが好ましい。
【０００８】
また、本考案の椅子においては、前記凸部に、前記ベースの端部の内側部に係合して前記脚カバーを前記ベースの端部に係止する係止爪を形成しておくことが好ましい。
【考案の効果】
【０００９】
上記の構成からなる本考案の椅子によれば、肘支柱の下端部に該肘支柱と同等幅でつながり、かつ該肘支柱の前面側、背面側の端部の直下でボルトを介して床面に固定保持されるベースを設け、このベースに、該ボルトの頭部または、該ボルトの軸部およびそれと螺合するナットを内側に収納することで覆い隠す脚カバーを設けたため、肘支柱の下部の周辺に埃だまりを生じることがなく、また、肘支柱の下部の美観も損なわれることがない。
【００１０】
特に、脚カバーを、肘支柱の前面側または背面側の壁面に対しその延在方向に整列する壁面を形成する主壁部と、この主壁部の両側縁にそれぞれ一体連結するとともに肘支柱の側面側の壁面に対しその延在方向に整列する壁面を形成する側壁部とからなる構成とし、該主壁部および該側壁部に、肘支柱の下端面に密接する上端面と、床面に密接する下端面とを形成したため、肘支柱とベースとに一体感を持たせることができ、肘支柱の下部がすっきりとする。
【００１１】
なお、本考案の椅子において、ベースを、肘支柱の下端面に当接可能な受け部を有し、その受け部において肘支柱と連結するベース本体と、ボルトを通す貫通孔を有し、肘支柱の前面側および背面側の端部の直下に位置するとともにベース本体に一体連結するフランジ部とを備えた構成とし、肘支柱の下端部に、ベースのフランジ部へ向けて突出し、脚カバーの側壁部の内面に当接する側壁を有するブロックを設け、脚カバーの側壁部の互いに対向する位置に、該ブロックの周壁および該フランジ部にそれぞれ係合して脚カバーを引き抜き不能に保持する一対の凸部を設けることとすれば、脚カバーは、簡単な構造でもってベースにしっかりと固定されることになる。
【００１２】
また、本考案の椅子において、脚カバーの凸部に、ベースの端部の内側部に係合して脚カバーをベースの端部に係止する係止爪を形成しておけば、該凸部を肘支柱のブロックおよびフランジ部に係合させると同時に、該係止爪をベースの内側部に係合させることが可能となり、脚カバーの取付け作業が簡便になる。
【図面の簡単な説明】
【００１３】
【図１】（ａ）〜（ｃ）は、本考案の一実施形態としての、複数脚の椅子を横並びに連結した連結椅子を模式的に示す図であり、（ａ）は平面図、（ｂ）は正面図、（ｃ）は側面図である。
【図２】（ａ）〜（ｅ）は、図１（ａ）〜（ｃ）に示す椅子の肘支柱を示す図であり、（ａ）は正面図、（ｂ）は平面図、（ｃ）は側面図、（ｄ）は底面図、（ｅ）は背面図である。
【図３】図２（ｃ）のＡ−Ａ線に沿う断面図である。
【図４】（ａ）〜（ｄ）は、図１（ａ）〜（ｃ）に示す椅子のベースを示す図であり、（ａ）は正面図、（ｂ）は平面図、（ｃ）は側面図、（ｄ）は背面図である。
【図５】（ａ）〜（ｅ）は、図１（ａ）〜（ｃ）に示す椅子の脚カバーを示す図であり、（ａ）は正面図、（ｂ）は平面図、（ｃ）は側面図、（ｄ）は底面図、（ｅ）は背面図である。
【図６】肘支柱とベースとの連結状態および脚カバーの取付け状態を示す断面図である。
【図７】図６のＢ−Ｂ線に沿う底面図である。
【図８】図６のＣ−Ｃ線に沿う平面図である。
【考案を実施するための形態】
【００１４】
以下、図面を参照して、本考案をより具体的に説明する。
図１（ａ）〜（ｃ）は、本考案の一実施形態としての、複数脚の椅子を横並びに連結した連結椅子を模式的に示す図で、（ａ）は平面図、（ｂ）は正面図、（ｃ）は側面図であり、また図２（ａ）〜（ｅ）は、図１（ａ）〜（ｃ）に示す椅子の肘支柱を示す図で、（ａ）は正面図、（ｂ）は平面図、（ｃ）は側面図、（ｄ）は底面図、（ｅ）は背面図であり、さらに図３は、図２（ｃ）のＡ−Ａ線に沿う断面図であり、また図４（ａ）〜（ｄ）は、図１（ａ）〜（ｃ）に示す椅子のベースを示す図で、（ａ）は正面図、（ｂ）は平面図、（ｃ）は側面図、（ｄ）は背面図である。
【００１５】
さらに図５（ａ）〜（ｅ）は、図１（ａ）〜（ｃ）に示す椅子の脚カバーを示す図で、（ａ）は正面図、（ｂ）は平面図、（ｃ）は側面図、（ｄ）は底面図、（ｅ）は背面図であり、また図６は、肘支柱とベースとの連結状態および脚カバーの取付け状態を示す断面図であり、さらに図７は、図６のＢ−Ｂ線に沿う底面図であり、そして図８は、図６のＣ−Ｃ線に沿う平面図である。
【００１６】
図１〜図６における符号１は、肘支柱である。この肘支柱１は、図２（ａ）〜（ｅ）および図３に示すように、金属製の板状部材、例えば鋼板のプレス成形品やアルミのダイキャスト品等にて構成することができる本体部分１ａ（図３参照）を有するものであり、本体部分１ａの上端には、肘当て部（肘木）２をビス等によって固定する受け部１ｂが、また、本体部分１ａの下端には、後述するベースの受け部に当接する底板１ｃがそれぞれ設けられ、本体部分１ａの両側方には、肘支柱１の側壁を形成する化粧板１ｄ，１ｅが配置されている。なお、肘支柱１の構造については、椅子の強度の改善あるいは軽量化等を目的として種々変更することが可能であり、図示のものに限定されることはない。
【００１７】
また、符号３は肘支柱１の相互間に保持される背部、４は、背部３と同様、肘支柱１の相互間に保持される座部である。座部４の後部には、肘支柱１の内側壁部に設けられた軸受け部に両端部を支持される軸部が回動可能に貫通していて、座部４に観覧者等が着座していなければ、図１中のＮｏ．２の椅子の如く、座部４は、その内部にて上記軸部上に組み付けられたトーションスプリングにより背部３側に向けて跳ね上げられた収納姿勢に保持されている。
【００１８】
さらに、符号５は、肘支柱１の下側に設けられた、これも金属製の板状部材、例えば鋼板のプレス成形品やアルミのダイキャスト品等にて構成することができるベースであり、このベース５は、肘支柱１の幅寸法Ｌ（図１参照）と同等の幅寸法を有して肘支柱１につながっていて、該肘支柱１の前面側および背面側の端部の直下で、ボルトＢ（図６参照）を介して床面Ｍに固定される。
【００１９】
このベース５は、その具体的構成を図４（ａ）〜（ｄ）に示すように、肘支柱１の下端面に当接可能な受け部Ｕを有し、その受け部Ｕにおいて肘支柱１と連結するベース本体５ａと、ボルトＢを通す貫通孔ｈを有し、肘支柱１の前面側および背面側の端部の直下でベース本体５ａに頚部（狭幅部）５ｂを介して一体連結するフランジ部５ｃ，５ｄとを備えている。
【００２０】
ベース本体５ａとしては、前面側および背面側でフランジ部５ｃ，５ｄと一体連結する門型フレーム５ａ１と、この門型フレーム５ａ１を両側から挟み込み、該門型フレーム５ａ１の上端部との間で肘支柱１のブラケット１ｆを挿入する溝型の空間領域を形成する一対の矩形状のプレート５ａ２とで構成されたものを適用することが可能であり、このプレート５ａ２の上端面を、肘支柱１の下端面に接触させる受け部Ｕとする一方、図６に示す如く、門型フレーム５ａ１の上端部と、肘支柱１の下端部に設けられたブラケット１ｆとをボルト５ａ３を介して連結することで、肘支柱１とベース５との一体化を図る。なお、図示した連結構造は、本考案の一例を示したものであって、その他の連結構造を採用することも可能であり、図示のものに限定されることはない。
【００２１】
また、符号６は、肘支柱１の前面側および背面側においてベース５の端部にそれぞれ着脱自在に係合する脚カバーである。この脚カバー６は、ＡＢＳ樹脂その他の硬質かつ弾性変形可能な合成樹脂にて成形されたものが用いられ、その詳細を図５（ａ）〜（ｅ）に示すように、ボルトＢを内側に収納する格納空間Ｎを有している。
【００２２】
この脚カバー６は、肘支柱１の前面側または背面側に面して該前面側の壁面１ｇまたは背面側の壁面１ｈ（図２（ｃ）参照）に対しその延在方向である上下方向に整列する壁面（フラットな壁面）を形成する主壁部６ａと、この主壁部６ａの両端縁にそれぞれ一体連結するとともに肘支柱１の側壁１ｉ，１ｊ（図３参照）に対しその延在方向である上下方向に整列する壁面（フラットな壁面）を形成する側壁部６ｂ，６ｃとを有している。そして、これら主壁部６ａおよび側壁部６ｂ，６ｃには、肘支柱１の下端面に密接する上端面６ａ１，６ｂ１，６ｃ１と、床面Ｍに密接する下端面６ａ２，６ｂ２，６ｃ２とが形成されている。なお、脚カバー６の主壁部６ａは、側壁部６ｂ，６ｃの厚さを含め、肘支柱１の前面側の壁面１ｇおよび背面側の壁面１ｈの幅寸法Ｌ並びにベース５の幅寸法と同等の幅寸法に設定されている。
【００２３】
さらに、符号７は、肘支柱１の下端面の前面側および背面側の端部にそれぞれ設けられたブロックである（図２参照）。このブロック７は、肘支柱１の下端面の前面側および背面側の端部でベース５のフランジ部５ｃ，５ｄに対向してそれぞれ突出するものであって、フランジ部５ｃ，５ｄの真上に位置するように配置されており、脚カバー６の格納空間Ｎに収まる寸法に設定されている。なお、このブロック７は、肘支柱１に一体的に設けられるものであってもよいし、肘支柱１とは別体で構成し、ボルトあるいは溶接等によって後付けするものであってもよい。また、このブロック７については、軽量化等のためにその内側に円形や四角形等の凹部を設けることができるが、該凹部については、省略することもできる。
【００２４】
また、符号８ａ，８ｂは、脚カバー６の側壁部６ｂ，６ｃの互いに対向する位置、特に側壁部６ｂ，６ｃの縁部に設けられた凸部である（図５参照）。この凸部８ａ，８ｂは、側壁部６ｂ，６ｃの上端面６ｂ１，６ｃ１から下端面６ｂ２，６ｃ２までの間で連続的に設けられており、脚カバー６をベース５の端部に装着する際、凸部８ａ，８ｂの上端部は、図６，図７に示すように、ブロック７の内側角部７ａ，７ｂに係合する一方、凸部８ａ，８ｂの下端部は、図６，図８に示すように、フランジ部５ｃ，５ｄの内側角部５ｃ１，５ｃ２，５ｄ１，５ｄ２に係合し、これによって脚カバー６はベース５に引き抜け不能に保持される。なお、凸部８ａ，８ｂは、側壁６ｂ，６ｃの互いに対向する位置に設けたものを例示したが、該凸部８ａ，８の一方だけを設けるようにしてもよい。
【００２５】
そして、符号９ａ，９ｂは、凸部８ａ，８ｂの端縁に一体的に設けられた係止爪である（図５参照）。この係止爪９ａ，９ｂは、凸部８ａ，８ｂがブロック７の内側角部７ａ，７ｂ、フランジ部５ｃ，５ｄの内側角部５ｃ１，５ｃ２，５ｄ１，５ｄ２に係合した状態でベース５の前面側および背面側の端部の内側面（ベース本体５ａを構成するプレート５ａ２の前面側および背面側の端部の内側面）に係止されるものであって、この係止片９ａ，９ｂがベース５の端部に係止されて側壁部６ｂ，６ｃの相互の開きを阻止し、ひいては凸部８ａ，８ｂの、ブロック７の内側角部７ａ，７ｂおよびフランジ部５ｃ，５ｄの内側角部５ｃ１，５ｃ２，５ｄ１，５ｄ２への係合を維持することで、脚カバー６は、ベース５および肘支柱５に強固に固定される。
【００２６】
上記の構成からなる本考案の椅子を床面Ｍに固定するには、まず、肘支柱１のブラケット１ｂとベース５の門型フレーム５ａ１の上端部との間にボルト５ａ３を通して肘支柱１とベース５とを予め相互に連結しておく。そして、その椅子を床面Ｍの所定位置に配置するとともに、ベース５のフランジ部５ｃ、５ｄの貫通孔ｈに上から通したボルトＢを床面Ｍにねじ込めばよい。
【００２７】
なお、図示例ではボルトＢの頭部と床面Ｍとの間にベース５のフランジ部５ｃ、５ｄを挟持して椅子を床面Ｍに固定しているが、軸部のみのアンカーボルトを床面Ｍの所定位置に突設しておき、そのアンカーボルトがベース５のフランジ部５ｃ、５ｄの貫通孔ｈから上方に突出するように椅子を床面Ｍに配置して、そのフランジ部５ｃ、５ｄの貫通孔ｈから上方に突出したアンカーボルトにナットを螺合させることで、そのナットと床面Ｍとの間にベース５のフランジ部５ｃ、５ｄを挟持して椅子を床面Ｍに固定するようにしてもよい。
【００２８】
脚カバー６は、椅子を床面Ｍに固定したのちベース５の前面側および背面側の端部に装着すればよく、かかる脚カバー６によれば、ベース５および肘支柱１の壁面と面一状態になって取り付けられ、しかもボルトＢの頭部や、ボルトの軸部に螺合したナットを内側に収納することで覆い隠すので、肘支柱１の下部の周辺に埃だまりを生じることがなく、かつ、肘支柱１の下部をすっきりさせることが可能となり、見栄えがよいだけでなく高級感を与えることができる。
【００２９】
なお、劇場の床面Ｍには、舞台に向けて漸次に低くなる傾斜が付与されている場合があり、このような傾斜に対応させるために、ベース５の下端面、すなわち、床面Ｍと密接する面（フランジ部５ｃ，５ｄ、プレート５ａ２等）と、脚カバー６の下端面６ａ２，６ｂ２，６ｃ２には、該傾斜に対応する角度を付与しておくことができる。
【産業上の利用可能性】
【００３０】
本考案によれば、肘支柱を床面に固定するボルトやナットを外表面に露出させず、しかも肘支柱の下部をすっきりさせて高級感を付与した椅子を提供することができる。
【符号の説明】
【００３１】
１      肘支柱
１ａ    本体部分
１ｂ    受け部
１ｃ    底板
１ｄ，１ｅ    化粧板
１ｆ    ブラケット
１ｇ    前面側の壁面
１ｈ    背面側の壁面
１ｉ，１ｊ    側壁
２      肘当て部
３      背部
４      座部
５      ベース
５ａ    ベース本体
５ｂ    頚部
５ｃ，５ｄ    フランジ部
６      脚カバー
６ａ    主壁部
６ｂ，６ｃ    側壁部
７      ブロック
８ａ，８ｂ    凸部
９ａ，９ｂ    係止爪
Ｂ  ボルト
Ｍ  床面
Ｎ  格納空間
【図１】
0003193431.tif 000003
【図２】
0003193431.tif 000004
【図３】
0003193431.tif 000005
【図４】
0003193431.tif 000006
【図５】
0003193431.tif 000007
【図６】
0003193431.tif 000008
【図７】
0003193431.tif 000009
【図８】
0003193431.tif 000010